(57)【要約】【課題】花束の長さ寸法や径が変わった場合でも、花束を損傷させることなく、安全に輸送できるようにする。【解決手段】収容箱内に、花束を保持する花束保持装置１を挿入する。花束保持装置１に、断面Ｖ形状に折曲げられて収容箱内に斜めに挿入される第１支持板部３および第２支持板部４を設ける。花束を、これら両支持板部３，４の前面側に、斜めに寝かせた状態で配置する。両支持板部３，４の前面下端部に、底部１５を設ける。両支持板部３，４前面の下端寄りの部位に、花束を押さえる保持帯部９を設ける。両支持板部３，４の下端背面側に、支持脚２６を設けて自立可能な構造とする。【選択図】　　　　図１
2004010160.tif 000002
【特許請求の範囲】
【請求項１】
花束を収容する収容箱内に挿入配置され、収容箱内で花束を保持する花束保持装置であって、縦方向の折線を介して断面Ｖ形状に折曲げられ、収容箱内に斜めに挿入されて花束を背面側から支持する一対の支持板部と；一対の支持板部の前面側を相互に連結して環状部を形成し、この環状部で花束を包持する保持帯部と；各支持板部の外縁部に折線を介しそれぞれ連結されて各支持板部の背面側に折曲げられ、一対の支持板部を自立可能に支持する支持脚部と；を具備することを特徴とする花束保持装置。
【請求項２】
各支持板部の下端縁に折線を介しそれぞれ連結され、各支持板部の前面側に折曲げられるとともに相互に連結されて、花束を下面側から支持する底部を構成する一対の底板部を備えていることを特徴とする請求項１記載の花束保持装置。
【請求項３】
少なくともいずれか一方の支持板部は、上端近傍位置に手掛け部を有していることを特徴とする請求項１または２記載の花束保持装置。
【請求項４】
保持帯部は、一対の支持板部の少なくとも下端近傍位置に配されていることを特徴とする請求項１，２，または３記載の花束保持装置。
【請求項５】
保持帯部は、一対の支持板部の前面側に、上下に間隔を置いて複数配されていることを特徴とする請求項４記載の花束保持装置。
【請求項６】
保持帯部は、一対の支持板部から切り起こされて形成されていることを特徴とする請求項１，２，３，４または５記載の花束保持装置。
【請求項７】
保持帯部は、上下２本の切断線を介し切り起こされて、長手方向両端部が各支持板部に連結された状態となっていることを特徴とする請求項６記載の花束保持装置。
【請求項８】
支持脚部は、各支持板部の外縁から後方に折曲げられる一対の縦板部と；各縦板部の上縁から水平方向に折曲げられて相互に連結される一対の天板部と；を備え、各天板部は、その内縁が各支持板部の背面に接触していることを特徴とする請求項１，２，３，４，５，６または７記載の花束保持装置。
【発明の詳細な説明】
【０００１】
【発明の属する技術分野】
本発明は、花束を収容する収容箱内に挿入配置されて収容箱内で花束を保持する花束保持装置に係り、特に収容箱から引出した場合には、そのまま展示用の花束台として使用することができる花束保持装置に関する。
【０００２】
【従来の技術】
従来、花束を輸送する場合には、周壁の一面が開閉蓋となっている細長い収容箱を用意し、この収容箱内に、花束を寝かせた状態で収容して輸送する方法が採られている。
【０００３】
【発明が解決しようとする課題】
前記従来の輸送方法の場合、花束の長さ寸法および径が、収容箱の各寸法とほぼ一致する場合には、花束を安定して輸送することができるが、花束の長さ寸法や径が変わった場合には、花束が収容箱内でガタ付いてしまったり、あるいは花束が収容箱内で圧縮された状態となり、花弁等が損傷して商品価値が低下するという問題がある。
【０００４】
本発明は、かかる現況に鑑みなされたもので、花束の長さ寸法や径が変わった場合であっても、商品価値を低下させることなく、花束を安定して輸送することができ、しかも収容箱から引出した場合には、そのまま展示用の花束台として使用することができる花束保持装置を提供することを目的とする。
【０００５】
本発明の他の目的は、花束をより安定して保持することができる花束保持装置を提供するにある。
【０００６】
本発明の他の目的は、収容箱内への挿入および引出しが容易で、挿入，引出しの際に花束を損傷させるおそれがない花束保持装置を提供するにある。
【０００７】
本発明の他の目的は、一対の支持板部の前面側に配されている花束が、支持板部上でガタ付くのを防止することができ、しかも花束保持の際に、花弁等を損傷させるおそれがない花束保持装置を提供するにある。
【０００８】
本発明の他の目的は、収容箱が輸送中に倒れる等の事態が発生した場合であっても、花束が損傷するのを防止することができる花束装置を提供するにある。
【０００９】
本発明の他の目的は、保持帯部の製作が容易で、材料の無駄がない花束保持装置を提供するにある。
【００１０】
本発明の他の目的は、保持帯部の取扱いが容易な花束保持装置を提供するにある。
【００１１】
本発明のさらに他の目的は、少ない材料で支持脚部を構成することができ、しかも一対の支持板部を、大きな力で安定に支持することができる花束保持装置を提供するにある。
【００１２】
【課題を解決するための手段】
前記目的を達成するため本発明は、花束を収容する収容箱内に挿入配置され、収容箱内で花束を保持する花束保持装置であって、縦方向の折線を介して断面Ｖ形状に折曲げられ、収容箱内に斜めに挿入されて花束を背面側から支持する一対の支持板部と；一対の支持板部の前面側を相互に連結して環状部を形成し、この環状部で花束を包持する保持帯部と；各支持板部の外縁部に折線を介しそれぞれ連結されて各支持板部の背面側に折曲げられ、一対の支持板部を自立可能に支持する支持脚部と；で構成するようにしたことを特徴とする。そして、花束を斜めにした状態で支持することで、寝かせた状態で収容箱内に収容している従来の方法に比較して花束の損傷が少なく、花束の長さ寸法や径が変わった場合であっても、商品価値を低下させることなく、花束を安定して輸送することが可能となる。また、収容箱から引出した場合には、そのまま展示用の花束台として使用することが可能となる。
【００１３】
本発明はまた、各支持板部の下端縁に折線を介しそれぞれ連結され、各支持板部の前面側に折曲げられるとともに相互に連結されて、花束を下面側から支持する底部を構成する一対の底板部を設けるようにしたことを特徴とする。そして、一対の底板部を相互に連結することで、一対の支持板部を、断面Ｖ形状に折曲げられた形状に保持することが可能となり、また花束を下面側から支持することができることで、花束をより安定して保持することが可能となる。
【００１４】
本発明はまた、少なくともいずれか一方の支持板部の上端近傍位置に、手掛け部を設けるようにしたことを特徴とする。そしてこれにより、収容箱内への挿入および引出しが容易で、挿入，引出しの際に花束を損傷させるおそれがない。
【００１５】
本発明はまた、保持帯部を、一対の支持板部の少なくとも下端近傍位置に配するようにしたことを特徴とする。そしてこれにより、一対の支持板部の前面側に配されている花束が、支持板部上でガタ付くのを防止することが可能となり、しかも花束保持の際に、花弁等を損傷させるおそれがない。
【００１６】
本発明はまた、保持帯部を、一対の支持板部の前面側に、上下に間隔を置いて複数配するようにしたことを特徴とする。そしてこれにより、花束の保持がより安定し、収容箱が輸送中に倒れる等の事態が発生した場合であっても、花束が損傷するのを防止することが可能となる。
【００１７】
本発明はまた、保持帯部を、一対の支持板部から切り起こして形成するようにしたことを特徴とする。そしてこれにより、保持帯部の製作が容易となるとともに、材料の無駄もなくなる。
【００１８】
本発明はまた、保持帯部を、上下２本の切断線を介し切り起こして形成し、保持帯部の長手方向両端部が、各支持板部に連結された状態となるようにしたことを特徴とする。そしてこれにより、保持帯部を、一対の支持板部の折曲げ方向とは逆の前面側に折曲げるだけで、環状部が形成されることになり、保持帯部の取扱いが容易となる。
【００１９】
本発明はさらに、支持脚部を、各支持板部の外縁から後方に折曲げられる一対の縦板部と；各縦板部の上縁から水平方向に折曲げられて相互に連結される一対の天板部と；で形成し、各天板部の内縁を、各支持板部の背面に接触させるようにしたことを特徴とする。そしてこれにより、少ない材料で支持脚部を構成することが可能となり、しかも一対の支持板部を、大きな力で安定に支持することが可能となる。
【００２０】
【発明の実施の形態】
以下、本発明を図面を参照して説明する。
図３は、本発明の実施の一形態に係る花束保持装置を示す展開図であり、この花束保持装置１は、中央縦折線２を介して相互に連結された第１支持板部３および第２支持板部４を備えており、これら一対の支持板部３，４は、図１および図２に示すように、前記中央縦折線２から断面Ｖ形状に折曲げられるとともに、図４に示すように、収容箱５内に斜めに挿入されて花束（図示せず）を背面側から支持するようになっている。
【００２１】
前記各支持板部３，４の上端近傍の両側位置には、図１ないし図４に示すように、横方向の長孔で形成した手掛け部６がそれぞれ設けられており、これら両手掛け部６に手を掛けて花束保持装置１を収容箱１から引出すことにより、花束を損傷させることなく、花束保持装置１を収容箱１外に引出すことができるようになっている。花束保持装置１を収容箱１内に挿入する場合も同様である。
【００２２】
また、前記両支持板部３，４の下端近傍位置には、図３に示すように、上切込み線７と下切込み線８とで仕切られた切り起こし構造の保持帯部部９が設けられており、この保持帯部９を、図１，図２および図４に示すように、両支持板部３，４の前面側にく字状に折曲げることにより、両支持板部３，４との間に環状部１０が形成され、この環状部１０内に、花束の下端部を挿入することにより、花束を安定して保持できるようになっている。
【００２３】
この保持帯部９の下端縁中央部には、図３に示すように、切欠き９ａが設けられており、花束を紐で保持帯部に結束する場合に、この切欠き９ａを利用することにより、紐の位置がずれずに安定に結束できるようになっている。
【００２４】
前記各支持板部３，４の下端縁には、図３に示すように、折線１１，１２を介して、先端が円弧状をなす第１底板部１３および第２底板部１４がそれぞれ連結されており、これら両底板部１３，１４を、両支持板部３，４の前面側に折曲げるとともに、二枚重ね状態で相互に連結さることにより、図１，図２および図４に示すように、花束を下面側から支持する底部１５が構成されるようになっている。
【００２５】
すなわち、前記第１底板部１３には、図３に示すように、第２底板部１４側の端部の先端に、係合片１３ａが設けられており、また前記第２底板部１４には、先端寄りのほぼ中央部に、前記係合片１３ａが嵌入係止される係合孔１４ａが設けられている。そして、第１底板部１３を、第２底板部１４の下面側に二枚重ねにするとともに、係合片１３ａを、係合孔１４ａに下面側から嵌入係止することにより、底部１５が構成されるようになっている。
【００２６】
前記各支持板部３，４の下端側の外縁部には、図３に示すように、折線１６，１７を介して第１支持脚部１８および第２支持脚部１９がそれぞれ連結されており、これら両支持脚部１８，１９は、各支持板部３，４の背面側に折曲げて相互に連結することにより、両支持板部３，４を収容箱５内および収容箱５外で、自立状態で支持できるようになっている。
【００２７】
すなわち、前記各支持脚部１８，１９は、図３に示すように、各支持板部３，４の外縁から後方に折曲げられる第１縦板部２０および第２縦板部２１と、これら各縦板部２０，２１の上縁部に折線２２，２３を介してそれぞれ連結された第１天板部２４および第２天板部２５とを備えており、前記各天板部２４，２５を、各縦板部２０，２１から水平方向に折曲げるとともに、相互に連結することにより、図１および図５に示すように、門形状をなす支持脚２６が構成されるようになっている。そしてこの際、各天板部２４，２５の内縁は、図１および図４に示すように、各支持板部３，４の背面に接触し、大きな力で両支持板部３，４を支持できるようになっている。
【００２８】
前記各天板部２４，２５の上端外縁部には、図３に示すように、第１係止片２７および第２係止片２８がそれぞれ設けられており、これら両係止片２７，２８は、両天板部２４，２５を連結する際に、図５に示すように、各係止片２７，２８を各天板部２４，２５の下面側に位置させた状態で、相互に係合されるようになっている。
【００２９】
次に、本実施の形態の作用について説明する。
使用に際しては、まず図３に示す展開状態の花束保持装置１を折曲げて、図１および図２に示すような自立可能な花束保持装置１を製作する。そして、両支持板部３，４の前面側に花束を配置し、その下端部を、保持帯部９との間に形成された環状部１０内に挿入する。また、必要に応じ、花束の下端部を、紐を用いて保持帯部９に結束する。これにより、花束保持装置１の両支持板部３，４前面側に、花束が固定された状態となる。
【００３０】
そこで、この花束が固定された花束保持装置１を、収容箱５内に挿入する。この際、両支持板部３，４に設けられている手掛け部６に手を掛けて挿入作業を行なうと、花束に一切手を触れることなく、花束保持装置１を収容箱５内に挿入することができる。
【００３１】
なお、花束を保持帯部９に結束固定する必要がない場合には、収容箱５内に予め花束保持装置１を挿入配置しておき、この状態で、両支持板部３，４の前面側に、花束を挿入配置するようにしてもよい。
【００３２】
一方、収容箱５内に収容されている花束を取出す場合には、両支持板部３，４の手掛け部６に手を掛けて、花束保持装置１ごと収容箱５外に取出す。この際、花束保持装置１は、図１および図２に示すように、自立可能な構造をなしているので、花束が保持帯部９に結束されている場合であっても、容易に結束を解除することができ、また花束保持装置１を、そのまま展示用の花束台として使用することもできる。
【００３３】
しかして、花束は、花束保持装置１に人間が両腕で抱き抱えたのと同様の状態で保持されることになるので、花束を損傷させることがなく、花束の長さ寸法や径が変わった場合であっても、商品価値を低下させることなく、花束を安定して輸送することができる。しかも収容箱５から取出した場合には、花束保持装置１をそのまま展示用の花束台として使用することができる。
【００３４】
なお、前記実施の一形態においては、長手方向両端部が各支持板部３，４に連結されている保持帯部９を例に採って説明したが、長手方向一端部が、いずれかの支持板部３，４から完全に切離されている構造にしてもよい。なおこの場合には、花束挿入後、保持帯部９の自由端を、ガムテープ等を用いていずれかの支持板部３，４に固定することになる。
【００３５】
また、保持帯部９を、両支持板部３，４からの切り起こし構造とせずに別体構造とし、これをガムテープ等を用いて両支持板部３，４に固定するようにしてもよい。また、保持帯部９を、両支持板部３，４の前面側に、上下方向に間隔を置いて複数配置するようにしてもよい。そしてこれにより、花束がかなりの重量物であっても、安定に保持することができる。
【００３６】
また、前記実施の一形態においては、花束の保持をより安定させるために、底部１５を設ける場合について説明したが、花束が軽量である等の場合には、底部１５は省略するようにしてもよい。また、支持脚２６は、門形構造である必要はなく、両支持板部３，４を安定して支持できるものであれば、どのような構造のものでもよい。
【００３７】
【発明の効果】
以上説明したように本発明は、花束を収容する収容箱内に挿入配置され、収容箱内で花束を保持する花束保持装置であって、縦方向の折線を介して断面Ｖ形状に折曲げられ、収容箱内に斜めに挿入されて花束を背面側から支持する一対の支持板部と；一対の支持板部の前面側を相互に連結して環状部を形成し、この環状部で花束を包持する保持帯部と；各支持板部の外縁部に折線を介しそれぞれ連結されて各支持板部の背面側に折曲げられ、一対の支持板部を自立可能に支持する支持脚部と；で構成するようにしているので、花束を斜めにした状態で支持することで、寝かせた状態で収容箱内に収容している従来の方法に比較して花束の損傷が少なく、花束の長さ寸法や径が変わった場合であっても、商品価値を低下させることなく、花束を安定して輸送することができる。また、収容箱から引出した場合には、そのまま展示用の花束台として使用することができる。
【００３８】
本発明はまた、各支持板部の下端縁に折線を介しそれぞれ連結され、各支持板部の前面側に折曲げられるとともに相互に連結されて、花束を下面側から支持する底部を構成する一対の底板部を設けるようにしているので、一対の底板部を相互に連結することで、一対の支持板部を、断面Ｖ形状に折曲げられた形状に保持することができ、また花束を下面側から支持することができることで、花束をより安定して保持することができる。
【００３９】
本発明はまた、少なくともいずれか一方の支持板部の上端近傍位置に、手掛け部を設けるようにしているので、収容箱内への挿入および引出しが容易で、挿入，引出しの際に花束を損傷させるおそれがない。
【００４０】
本発明はまた、保持帯部を、一対の支持板部の少なくとも下端近傍位置に配するようにしているので、一対の支持板部の前面側に配されている花束が、支持板部上でガタ付くのを防止することができ、しかも花束保持の際に、花弁等を損傷させるおそれがない。
【００４１】
本発明はまた、保持帯部を、一対の支持板部の前面側に、上下に間隔を置いて複数配するようにしているので、花束の保持がより安定し、収容箱が輸送中に倒れる等の事態が発生した場合であっても、花束が損傷するのを防止することができる。
【００４２】
本発明はまた、保持帯部を、一対の支持板部から切り起こして形成するようにしているので、保持帯部の製作が容易となるとともに、材料の無駄もなくなる。
【００４３】
本発明はまた、保持帯部を、上下２本の切断線を介し切り起こして形成し、保持帯部の長手方向両端部が、各支持板部に連結された状態となるようにしているので、保持帯部を、一対の支持板部の折曲げ方向とは逆の前面側に折曲げるだけで、環状部が形成されることになり、保持帯部の取扱いが容易となる。
【００４４】
本発明はさらに、支持脚部を、各支持板部の外縁から後方に折曲げられる一対の縦板部と；各縦板部の上縁から水平方向に折曲げられて相互に連結される一対の天板部と；で形成し、各天板部の内縁を、各支持板部の背面に接触させるようにしているので、少ない材料で支持脚部を構成することができ、しかも一対の支持板部を、大きな力で安定に支持することができる。
【図面の簡単な説明】
【図１】本発明の実施の一形態に係る花束保持装置を示す斜視図である。
【図２】図１の花束保持装置を正面側から見た構成図である。
【図３】図１の花束保持装置の展開図である。
【図４】図１の花束保持装置を収容箱内に挿入した状態を上方から見た説明図である。
【図５】図１の花束保持装置を収容箱内に挿入した状態を下方から見た説明図である。
【符号の説明】
１　花束保持装置
２　中央縦折線
３　第１支持板部
４　第２支持板部
５　収容箱
６　手掛け部
７　上切込み線
８　下切込み線
９　保持帯部
９ａ　切欠き
１０　環状部
１１，１２，１６，１７，２２，２３　折線
１３　第１底板部
１３ａ　係合片
１４　第２底板部
１４ａ　係合孔
１５　底部
１８　第１支持脚部
１９　第２支持脚部
２０　第１縦板部
２１　第２縦板部
２４　第１天板部
２５　第２天板部
２６　支持脚
２７　第１係止片
２８　第２係止片
【図１】
2004010160.tif 000003
【図２】
2004010160.tif 000004
【図３】
2004010160.tif 000005
【図４】
2004010160.tif 000006
【図５】
2004010160.tif 000007